(57)【要約】【課題】バッテリをホルダにバンドで締め付けて固定する作業を行う場合、バンドの両端部の面ファスナを結合する作業を片手で行うことができるようにする。【解決手段】バンド９の一端部に装着された雌面素子１２の下端部に外側に突出するストッパ１５を設けると共に、バンド保持部１３の上端から支え部１６を突出して設ける。バンド９の他端側を引っ張ると、ストッパ１５が支え部１６に当接することにより、雌面素子１２がバンド９の一端部をホルダ８に受けられたバッテリ６の上面に接する方向に倒す。その後、バンド９の他端部を一端部に重ねて押し付けると、雄面素子１１が雌面素子１２に接着され、バンド９の両端部が接合される。【選択図】図５
2014153922.tif 000002
【特許請求の範囲】
【請求項１】
カードに記録された情報を読み取るカードリーダと、前記カードから読み取った情報を基にして判断された入室資格の有無に応じて室のドアの施解錠を制御するコントローラとを備え、
前記コントローラに、非常電源用のバッテリを受けるホルダと、両端部に面ファスナの雄面素子および雌面素子を装着したバンドを有し、前記ホルダおよび当該ホルダに受けられた前記バッテリの外側に前記バンドを巻き当該バンドの両端部を前記面ファスナの前記雄面素子と前記雌面素子とによって重ね合わせ状態にして結合することにより、前記バッテリを前記ホルダに締め付け固定するバッテリ固定装置を設けた入退室用セキュリティシステムにおいて、
前記ホルダの端部の外側に前記バンドが通される通し孔を有して形成され、前記バンドの両端部のうち、当該両端部を重ね合わせて結合するとき下になる側の一方の端部を保持するバンド保持部と、
前記面ファスナのうち、前記バンドの前記一方の端部に装着された一方の面素子に、前記バンド保持部側の端部から外側に向かって突出するように形成されたストッパと、
前記バンド保持部の端面に、前記通し孔に通される前記バンドよりも外側に位置して前記ホルダの端面を超える高さとなるように突出して形成され、前記バンドの他方の端部を引っ張ったとき、前記ストッパが当接する支え部と
を具備し、
前記バンドの前記他方の端部が引っ張られて前記ストッパが前記支え部に当接することにより、前記一方の面素子が前記バンドの一端部と共に前記ホルダに受けられた前記バッテリの外面に接する方向に倒される構成であることを特徴とする入退室用セキュリティシステム。
【発明の詳細な説明】
【技術分野】
【０００１】
本発明は、コントローラにホルダに受けられたバッテリをバンドにより締め付け固定するバッテリ固定装置を設けた入退室用セキュリティシステムに関する。
【背景技術】
【０００２】
入退室用セキュリティシステムは、室の入口近くの壁にカードリーダを取り付けると共に、壁の天井近くにコントローラを取り付けてなり、個人が所有するＩＣカードをカードリーダにかざすと、当該カードリーダがカードに記録された情報を読み取って当該カード記録情報を基にカード保有者の入室資格の有無を判断し、この判断結果を基にコントローラが室のドアの電気施錠装置を施解錠するように構成されている。
コントローラは商用電源の停電時にあっても正常に施解錠できるようにするために、非常用電源としてバッテリを備えている。このバッテリは保守点検作業者により定期的に点検され、点検の結果、必要があれば新しいものと交換される。
【０００３】
バッテリはコントローラの本体ケース内に設けられたホルダに受けられており、バンドによってホルダに締め付け固定されている。バンドは両端部に面ファスナの雄面素子と雌面素子とを装着してなり、締め付け固定時には、バンドの両端部を手に持って当該バンドをバッテリとホルダの外側に巻き付け、面ファスナでバンドの両端部を結合することによりバッテリをホルダに締め付けて固定する。
【０００４】
本発明とは技術分野が異なるが、特許文献１には、自動車用のシートクッションを倒した状態から起立させるためのレリーズバンドがバンド保持部材から外れないようにするために、レリーズバンドの上端部に手掛け部を折り返し形成すると共に、当該折り返した片の下端を曲げ起こして抜け止め片を形成し、レリーズバンドをバンド保持部材よりも下方で引っ張っても抜け止め片がバンド保持部に引っ掛かってレリーズバンドがバンド保持部から抜け出るのを防ぐように構成した自動車用シートが記載されている。
【先行技術文献】
【特許文献】
【０００５】
【特許文献１】特開平７−１２４０３０号公報
【発明の概要】
【発明が解決しようとする課題】
【０００６】
入退室用セキュリティシステムのコントローラに設けられているバッテリを交換する場合、コントローラが天井近くに設置されている関係で、作業者は脚立に上って、しかも、一人での作業を強いられることとなる。一方、バッテリは比較的重く、落とすと怪我をしたりバッテリが破損したりする恐れがあるので、バンドの面ファスナを着脱する際には、できれば、片手でバッテリを保持した状態で作業することが好ましい。
【０００７】
しかしながら、従来では、面ファスナの結合を解く場合には片手で行うことができるが、面ファスナを結合するには、バンドの両端部を手に持って雄面素子と雌面素子とを合せる必要があるので片手での作業は難しく、両手を使った作業となってしまう。
以上のように、バッテリ交換の際、特に、新しいバッテリをホルダにバンドで締め付けて固定する作業を行う場合、両手を面ファスナの結合のために使用することとなり、バッテリを手で支えておくことができなくなる。
【０００８】
ちなみに、特許文献１に開示された技術を入退室用セキュリティシステムのバッテリの固定構成に適用したとしても、バンドをバンド保持部材の下方で引っ張ったとき、バンドがバンド保持部から抜け出ないようにすることができるだけで、バンドの両端部の面ファスナを片手で結合できるようにすることは予測困難な問題であることは勿論、この問題を解決できる具体的構成を想起することなど全くできないものである。
【０００９】
本発明は上記の事情に鑑みてなされたもので、その目的は、入退室用セキュリティシステムにおいて、バッテリをホルダにバンドで締め付けて固定する作業を行う場合、バンドの両端部の面ファスナを結合する作業を片手で行うことができるようにすることにある。
【課題を解決するための手段】
【００１０】
本発明は、バンドの一方の端部に装着された面ファスナの一方の面素子にストッパを突出形成すると共に、バンドの一方の端部を保持するバンド保持部の端面に支え部を突出形成し、バンドの他方の端部を引っ張ると、ストッパが支え部に当接することにより、一方の面素子がバンドの一方の端部をホルダに受けられたバッテリの表面に接する方向に倒すように構成したことを特徴としている。
【００１１】
この構成によれば、バンドの他方の端部を引っ張ると、バンドの一方の端部がバッテリの外面に接すように倒れるので、片手でバンドの他方の端部を引っ張り、当該バンドの他方の端部に設けられた他方の面素子をバッテリの外面に接するように倒れたバンドの一方の端部の一方の面素子に重ねることで面素子どうしを結合することができる。このため、一方の手でバッテリを支えながら、他方の手でバンドの両端部を結合する作業を行うことができる。
【図面の簡単な説明】
【００１２】
【図１】本発明の一実施形態を示すもので、バッテリの固定装置の正面図
【図２】バッテリをホルダに収納した状態で示す固定装置の正面図
【図３】バンドを引っ張った初期状態を示す固定装置の正面図
【図４】バンドを引っ張った場合のバンドの一端部の形態変化を順に示す固定装置の部分的な拡大図
【図５】バンドの両端部を面ファスナで結合する直前の状態を示す固定装置の正面図
【図６】ホルダの斜視図
【図７】扉を開いて示すコントローラの正面図
【図８】コントローラの外観斜視図
【図９】入退室用セキュリティシステムの外観斜視図
【発明を実施するための形態】
【００１３】
以下、本発明の一実施形態を図面に基づいて説明する。図９は入退室用セキュリティシステムの全体を示すもので、室の出入口のドア１の近くの壁面にはカードリーダ２が取り付けられている。また、天井近くの壁面にはコントローラ３が取り付けられている。
【００１４】
カードリーダ２は、内部にカード読取装置を備えており、個人が所有するカード（ＩＣカード）を正面の所定部位に接触させ、或いはかざすと、カードリーダがカードと通信してカードのメモリに記録された情報を読み取る。そして、読み取ったカード記録情報を予め登録された情報（登録情報）と比較し、カードを所有する個人が入室資格を有するか否かを判断する。
【００１５】
コントローラ３は、カードリーダ２の入室資格有無の判断結果に基づいて、ドア１の電気施錠装置（図示せず）の施解錠を制御する。このコントローラ３は、図８に示すように、壁面に固定された本体ケース４と、この本体ケース４に開閉可能に取り付けられた蓋ケース５からなり、本体ケース４内には、コントローラ３としての機能を果たすためのマイコンをはじめとする各種の電子電気部品が配設されている。また、図７に示すように、本体ケース４内には、商用電源の停電時などの非常用電源として機能するバッテリ６が配置されている。
【００１６】
バッテリ６は、バッテリ固定装置７によって固定される。このバッテリ固定装置７は、バッテリ６をホルダ８にバンド９によって巻き締めて固定する構成のものである。ホルダ８は、バッテリ６を受けるもので、例えば、図６に示すように、全体としてＬ字形で、受け面である底面壁８ａ、後面壁８ｂ、左右の両側面のうち一方の側面である右側面壁８ｃ、底面壁８ａの前縁および右側面８ｃの前縁に形成した掛止リブ８ｄを有している。ホルダ８をこのような形態にすることにより、比較的大形で重いバッテリ６を左方からホルダ８内に収納し易くなる。
【００１７】
このホルダ８は、縦横寸法がバッテリ６の縦横寸法より小さく、後面壁８ｂとリブ８ｄとの間隔寸法がバッテリ６の前後方向の厚さ寸法よりもやや小さく設定されている。これにより、バッテリ６をホルダ８内に収納したとき、図２に示すように、バッテリ６の一面である上面がホルダ８の右側面壁８ｃの先端である上端から上方に突出すると共に、別の面である左側面がホルダ８の底面壁８ａの先端である左端から左方に突出した状態となる。そして、バンド９によりバッテリ６をホルダ８に締め付けたとき、バッテリ６の互いに隣接する２面、即ち底面と右面とがホルダ８の底面壁８ａと右側面壁８ｃに押さえ付けられて固定され、後面壁８ｂと掛止リブ８ｄによって前後方向への滑り止めがなされる。
【００１８】
バンド９は例えば布製或いはプラスチック製のもので、適度な柔軟性を有している。このバンド９の両端部には、面ファスナ１０の雄面素子１１と雌面素子１２とが装着されている。このとき、雄面素子１１と雌面素子１２はバンド９の互いに反対側の面に装着される。即ち、バンド９の表裏両面のうち、当該バンド９によりバッテリ６をホルダ８に巻き締めたとき外周側となる一方の面に一方の面素子、例えば雌面素子１２が装着され、内周側となる他方の面に他方の面素子である雄面素子１１が装着されている。
【００１９】
これら雄面素子１１と雌面素子１２は、周知のように比較的硬質の素地１１ａ，１２ａにフック状素子１１ｂとループ状素子１２ｂを植毛してなり、フック状素子１１ｂがループ状素子１２ｂに引っ掛かることで雄面素子１１と雌面素子１２（バンド９の両端部）が重ね合わせ状態で接着される。
【００２０】
バンド９は、ホルダ８の外周（底面壁８ａと右側面壁８ｃの外面）に保持されている。即ち、ホルダ８の右側面壁８ｃの外面の上端部と底面壁８ａの外面の左端部には、それぞれバンド保持部１３，１４が突出形成されている。これらバンド保持部１３，１４には通し孔１３ａ，１４ａが形成されており、バンド９は、図２に示すように、それらバンド保持部１３，１４の通し孔１３ａ，１４ａに通されることでホルダ８の外側に保持されている。
【００２１】
このとき、バンド９の表裏両面のうち、雌面素子１２を装着した面がバッテリ６を巻き締めたとき外周側の面となるように通し孔１３ａ，１４ａに通され、また、右側面壁８ｃのバンド保持部１３側には、バンド９の両端部のうち、例えば、雌面素子１２を装着した一方の端部（以下、一端部）が位置されるようにしている。
【００２２】
雌面素子１２の素地１２ａには、バンド保持部１３側の一端部から外側（ホルダ８の外周側）に向かって立ち上がるストッパ１５が形成されている。この実施形態では、ストッパ１５は鋭角状に立ち上がって、例えば「へ」字状をなしている。
一方、バンド保持部１３の上下両端面のうち雌面素子１２側である上端面には、通し孔１３ａに通されたバンド９よりも外側、つまり通し孔１３ａの周縁部のうち外側縁部に位置して支え部１６が形成されている。この支え部１６は、ホルダ８の右側面壁８ｃの上端面（本実施形態の場合、バンド保持部１３の上端面と同じ）よりも上方に所用高さ突出している。本実施形態では、ホルダ８にバッテリ６を収納したとき、当該バッテリ８の上面は、ホルダ８の右側面壁８ｃの上端面よりも上方に突出するが、支え部１６は、このバッテリ６の上面よりも更に上方に突出するような高さ寸法に定められている。
【００２３】
次に上記構成の作用を説明する。バッテリ６の点検時、作業者は、コントローラ３の近くに脚立を立て、作業し易い高さ位置まで登って点検する。点検により、バッテリ３を新しいものと交換する場合、まず、バンド９によってホルダ８に締め付け固定されている古いバッテリ３を取り外す。
【００２４】
バッテリ６の固定状態において、バンド９は、両端部が面ファスナ１０の雄面素子１１と雌面素子１２との貼り付けにより結合されている。本実施形態では、雌面素子１２を装着した一端部の上に雄面素子１１を装着した他端部が重なっているので、バンド９の他端部を上へ引っ張る。すると、雄面素子１１が雌面素子１２から引き剥がされてバンド９の両端部の結合が解かれる。これにより、バッテリ３の固定が解かれるので、バッテリ３を手に持ってホルダ８から取り外すことができる。
【００２５】
新しいバッテリ３をホルダ８に固定するには、バンド９の両端部がバッテリ３をホルダ８内に収容する際の邪魔にならないように、バンド９の両端部を図２に示すようにホルダ８の外側に出しておく。そして、バッテリ３をホルダ８内に収容する。これにより、バッテリ３はホルダ８の底面壁８ａに受けられた状態になるので、一方の手でバッテリ６を支えていればホルダ８から落ちる恐れはない。
【００２６】
次に、バンド９の他端部を残る他方の手で摘まみ引っ張る。すると、図３に示すようにバンド９の一端部側のストッパ１５がホルダ８の右側面壁８ｃの支え部１６に引っ掛かる。これにより、バンド９の一端部がバンド保持部１３の通し孔１３ａから下方へ抜け出ることのないように支え部１６に係止される。
【００２７】
更に、バンド９の雄面素子１２側端部を引っ張ると、雌面素子１２の素地１２ａがストッパ１５の支え部１６によって係止されている部分を中心に矢印Ａ方向（バッテリ６側に向かう方向）の回動力を受ける。この場合、支え部１６がホルダ８の右側面壁８ｃの上端面よりも上方に突出しており、雌面素子１２の矢印Ａ方向への回動を阻害するものはないので、図４（ａ）および（ｂ）に示すように、雌面素子１２がバンド９の一端部と共に矢印Ａ方向に倒れ、図４（ｃ）および図５に示すようにバッテリ６の一外面である上面に伏した（接した）状態になる。
【００２８】
そこで、バンド９の他端部を一端部に上から重ねて押さえ付けると、雄面素子１１のフック状素子１１ｂが雌面素子１２のループ状素子１２ｂに引っ掛かって雄面素子１１と雌面素子１２が接着される。これにより、バンド９の両端部が結合されてバンド９がホルダ８およびバッテリ６の外側に巻き付けられ、バッテリ６が底面および右側面をホルダ８の底面壁８ａおよび右側面壁８ｃの内面に押し当てた状態でホルダ８に固定される。
【００２９】
このように本実施形態によれば、バンド９の他端部を引っ張ると、一端部が自動的にバッテリ６の上面に倒れるので、雄面素子１１を雌面素子１２に接着する作業を、片手で行うことができる。このため、片方の手でバッテリ６を支えながら、残る片方の手でバンド９の両端部を接合でき、比較的重量のあるバッテリ６がホルダ８から滑り落ちたりする事故の発生を未然に防止することができる。
【００３０】
なお、本発明は上記し且つ図面に示す実施形態に限定されるものではなく、以下のような拡張或いは変更が可能である。
ストッパ１５の折起こし角度は鋭角に限られず、９０度或いは９０度を超える角度であっても良い。
雌面素子１２を装着した位置に雄面素子１１を装着し、雄面素子１１を装着した位置に雌面素子１２を装着しても良い。
バッテリ６をホルダ８内に収容したとき、ホルダ８の右側面壁８ｃから上に突出しない、或いは底面壁８ａから左方に突出しない比較的小型のバッテリであってもバンド９によりホルダ８に固定できる。
【００３１】
バンド９の一端部に雄面素子１１を装着し、他端部に雌面素子１２を装着し、雄面素子１１の素地１１ａにストッパ１５を形成する構成であっても良い。
バンド保持部１３の上端部はホルダ８の右側面壁８ｃの上端と面一でなくても良く、一段低いものであっても良い。
バンド保持部はホルダ８の右側面壁８ｃの上端から底面壁８ａの左端まで連続する形態のものであっても良い。
カードから読み取った情報により入室資格を有するか否かを判断する機器はカードリーダ２に限らず、コントローラ３であっても良い。
【符号の説明】
【００３２】
図面中、２はカードリーダ、３はコントローラ、６はバッテリ、７は固定装置、８はホルダ、９はバンド、１０は面ファスナ、１１は雄面素子、１２は雌面素子、１３，１４はバンド保持部、１３ａ，１４ａは通し孔、１５はストッパ、１６は支え部を示す。
【図１】
2014153922.tif 000003
【図２】
2014153922.tif 000004
【図３】
2014153922.tif 000005
【図４】
2014153922.tif 000006
【図５】
2014153922.tif 000007
【図６】
2014153922.tif 000008
【図７】
2014153922.tif 000009
【図８】
2014153922.tif 000010
【図９】
2014153922.tif 000011